(57)【要約】【課題】  把手部の補強ができるとともに、開口を塞いで持ち運びできる袋体の提供。【解決手段】  収容物を出し容れする開口部を有して収容物を収容する袋本体と、開口部から延長するよう袋本体に一体的に設けられた把手部とを有し、把手部は、第一把手帯体および第二把手帯体から構成され、第一把手帯体および第二把手帯体は、第一把手帯体および第二把手帯体の対向面どうしを開口部を閉じるようにした状態で連通する把手穴をそれぞれ有し、第一把手帯体および第二把手帯体の何れか一方の把手帯体に、他方の帯体の全幅に亘って外面に重ねられるよう折り曲げられる補強帯体が一体的に設けられ、補強帯体が折り曲げられることで把手帯体の対向面どうしが合わせられるよう構成されるとともに、折り曲げられた補強帯体は把手穴どうしの連通を許容するよう構成されている紙袋。【選択図】  図１
2011178445.tif 000002
【特許請求の範囲】
【請求項１】
収容物を出し容れする開口部を有して収容物を収容する袋本体と、前記開口部から延長するよう前記袋本体に一体的に設けられた把手部とを有した袋体であって、
前記把手部は、第一把手帯体および第二把手帯体から構成され、前記第一把手帯体および第二把手帯体は、第一把手帯体および第二把手帯体の対向面どうしを前記開口部を閉じるようにした状態で連通する把手穴をそれぞれ有し、
前記第一把手帯体および第二把手帯体の何れか一方の把手帯体に、他方の帯体の全幅に亘って外面に重ねられるよう折り曲げられる補強帯体が一体的に設けられ、該補強帯体が折り曲げられることで把手帯体の対向面どうしが合わせられるよう構成されるとともに、折り曲げられた補強帯体は把手穴どうしの連通を許容するよう構成されていることを特徴とする袋体。
【請求項２】
第一把手帯体および第二把手帯体のうち補強帯体が形成される側の把手帯体は、袋本体を延長して形成した延長帯体に補強帯体を貼着して構成されていることを特徴とする請求項１記載の袋体。
【請求項３】
補強帯体に、他方の帯体の外面側から両把手穴に挿通して両把手帯体を巻き込む巻込片が一体的に設けられていることを特徴とする請求項１または請求項２記載の袋体。
【発明の詳細な説明】
【技術分野】
【０００１】
本発明は、例えば商品を持ち帰るのに用いられる紙袋等の袋体に関する。
【背景技術】
【０００２】
袋体としての紙袋には、商品等を出し容れするための開口を有する本体部（収容部）と、袋体を持ち歩くのに便利なように開口の近傍に設けた把手部とを有するものがある。
特許文献１に開示された袋体（紙袋）では、把手部に強度を付与するために、把手部に補強用紙片を貼着し、補強用紙片を貼着した領域の一部に使用者の手指を通して把手部を把持するための把手穴を形成している。
【先行技術文献】
【特許文献】
【０００３】
【特許文献１】実開平５−３１４０号公報
【発明の概要】
【発明が解決しようとする課題】
【０００４】
上記従来の袋体において、把手部に強度を付与するために補強用紙片を貼着することにより把手部には強度が付与される。しかしながら、袋体は所定の幅があるから、把手穴に手指を入れて把持しても、開口の幅方向両側部分を充分に閉じることができなかった。
【０００５】
そこで本発明は上記問題に鑑み、把手部の補強ができるとともに、開口を塞いで持ち運びできる袋体の提供を目的とする。
【課題を解決するための手段】
【０００６】
本発明は、収容物を出し容れする開口部を有して収容物を収容する袋本体と、前記開口部から延長するよう前記袋本体に一体的に設けられた把手部とを有した袋体であって、前記把手部は、第一把手帯体および第二把手帯体から構成され、前記第一把手帯体および第二把手帯体は、第一把手帯体および第二把手帯体の対向面どうしを前記開口部を閉じるようにした状態で連通する把手穴をそれぞれ有し、前記第一把手帯体および第二把手帯体の何れか一方の把手帯体に、他方の帯体の全幅に亘って外面に重ねられるよう折り曲げられる補強帯体が一体的に設けられ、該補強帯体が折り曲げられることで把手帯体の対向面どうしが合わせられるよう構成されるとともに、折り曲げられた補強帯体は把手穴どうしの連通を許容するよう構成されていることを特徴としている。
【０００７】
上記構成によれば、第一把手帯体および第二把手帯体の対向面どうしを合わせるようにして、両把手帯体のうちの一方に設けた補強帯体を折り曲げて、他方の把手帯体の縁を覆うようにして他方の把手帯体の外面に重ねることで、第一把手帯体、第二把手帯体および補強帯体の三つの紙部材が重なって把手部が構成されるから、単に双方の把手帯体を合わせた場合に比べて、把持部全体としての強度が向上し、しかも補強帯体を折り曲げて他方の把手帯体の縁を覆うことで開口部が閉じられる。
【０００８】
また、把手部は袋本体の開口部から、袋本体に延長して設けてあるから、袋本体の形状の設計の自由度を格段に向上させられる。
なお、折り曲げられた補強帯体は把手穴どうしの連通を許容するとは、把手穴どうしの連通を邪魔しないという意味である。
【０００９】
本発明の袋体では、第一把手帯体および第二把手帯体のうち補強帯体が形成される側の把手帯体は、袋本体を延長して形成した延長帯体に補強帯体を貼着して構成されていることを特徴としている。
上記構成のように、延長帯体に補強帯体を貼着することで、その分だけ把手部の強度を向上させられる。
【００１０】
本発明の袋体では、補強帯体に、他方の帯体の外面側から両把手穴に挿通して両把手帯体を巻き込む巻込片が一体的に設けられていることを特徴としている。
上記構成のように、巻込片を設けて、これを両把手穴に巻き込んで、袋体の使用者が手指を把手穴に挿入して把手部を把持することで、把手部の一部である把手穴の周辺部分は四つの紙部材が一体化されることになり、把手部の強度がいっそう向上する。
【発明の効果】
【００１１】
本発明の袋体では、第一把手帯体および第二把手帯体の対向面どうしを合わせるようにして、両把手帯体のうちの一方に設けた補強帯体を折り曲げて、他方の把手帯体の縁を覆うようにして他方の把手帯体の外面に重ねることで、第一把手帯体、第二把手帯体および補強帯体の三つの紙部材が重なって把手部が構成されるから、単に双方の把手帯体を合わせた場合に比べて、把持部全体としての強度が向上し、しかも補強帯体を折り曲げて他方の把手帯体の縁を覆うことで開口部が閉じられ、開口部を塞いだ状態で持ち運びができる。
【図面の簡単な説明】
【００１２】
【図１】本発明の実施形態を示す紙袋の使用状態を示す上方からの斜視図
【図２】同じく収容物を収容する際の状態を示す上方からの斜視図
【図３】同じく下方からの斜視図
【図４】同じく紙袋を偏平に折畳んだ状態の斜視図
【図５】同じく図４の状態から第一把手帯体のみを開いた状態の斜視図
【図６】同じく収容物を収容して紙袋が立体化した状態の前後方向での断面図
【発明を実施するための形態】
【００１３】
以下、本発明の実施形態に係る袋体を、ファースト・フード等の食品である収容物を収容して持ち帰る場合の紙袋を例に、図面に基づいて説明する。
図１は本発明の紙袋の使用状態を示す上方からの斜視図、図２は収容物を収容する際の状態を示す上方からの斜視図、図３は下方からの斜視図である。
【００１４】
これらの図に示すように、本発明の実施形態に係る紙袋１は、クラフト紙、およびさらしクラフト紙から形成されたガセット袋であり、図１および図２に示すように、収容物Ｆ（例えば図６を参照して、ファースト・フードとしてのドーナツ）を出し容れする開口部２を上部に有するとともに収容物Ｆを収容するための袋本体３と、開口部２から延長するよう袋本体３に一体的に設けられた把手部５とから構成されている。
【００１５】
袋本体３はさらしクラフト紙から成り、一枚の底紙３Ａと、一対（二枚）の第一胴紙４Ａおよび第二胴紙４Ｂとから構成されている。袋本体３の内面には、収容物Ｆの油分が袋本体３の表面に滲み出ないような加工が施されている。
袋本体３は、紙袋１をガセット袋とするために、底紙３Ａはガセットタイプとなっており、厚み方向（前後）Ｙの中心で半折され得るよう構成されて、襠（マチ）の機能を有している。
【００１６】
図３に示すように、底紙３Ａは六角形状に形成され、隣合って挟角θ１をほぼ直角とする幅方向Ｚ一方側の短辺部３０，３１どうしと、隣合って挟角θ２をほぼ直角とする幅方向Ｚ他方側の短辺部３０，３１どうしとは、それぞれ同じ長さに形成されている。これら短辺部３０，３１に比べて、幅方向Ｚに沿う、前後端の長手辺部３２，３３が長く形成されている。短辺部３０，３１と長手辺部３２，３３と挟角θ３は、鈍角に設定されている。
【００１７】
図４は紙袋１を偏平に折畳んだ状態の斜視図、図５は図４の状態から第一把手帯体５Ａのみを開いた状態の斜視図である。
これらの図に示すように、第一胴紙４Ａおよび第二胴紙４Ｂは、対向面どうしを重ねることができるよう、一対で設けられている。第一胴紙４Ａおよび第二胴紙４Ｂは、底紙３Ａの短辺部３０，３１に接着される傾斜辺部４０，４１と、底紙３Ａの長手辺部３２，３３にそれぞれ接着される底辺部４２，４３と、幅方向Ｚ両側の縦辺部４４，４５とから六角形状に形成されている。
【００１８】
第一胴紙４Ａの縦辺部４４は、第二胴紙４Ｂの縦辺部４５に比べて長く（高く）形成されている。第一胴紙４Ａおよび第二胴紙４Ｂの縦辺部４４，４５は互いに接着されている。
但し、第一胴紙４Ａの縦辺部４４は、第二胴紙４Ｂの縦辺部４５に比べて長く形成されている分だけ、第一胴紙４Ａの縦辺部４４は第二胴紙４Ｂの縦辺部４５に対して上方に突出している。これにより、第一胴紙４Ａは第二胴紙４Ｂに比べて大きな面積を有して、第一胴紙４Ａの上辺部４６は第二胴紙４Ｂの上辺部４７に対して上方に位置ずれしている。
【００１９】
第一胴紙４Ａの上辺部４６と第二胴紙４Ｂの上辺部４７とは接着されておらず、しかしながら第一胴紙４Ａの縦辺部４４と第二胴紙４Ｂの縦辺部４５とは接着されているから、第一胴紙４Ａの上辺部４６と第二胴紙４Ｂの上辺部４７とは接近離間自在になっており、収容物Ｆを出し容れすることのできる前記開口部２が形成されている。
【００２０】
次に把手部５の構成を説明する。
把手部５は、さらしクラフト紙とクラフト紙の組合せから構成され、第一把手帯体５Ａおよび第二把手帯体５Ｂから構成されている。
第一把手帯体５Ａは、第一胴紙４Ａの上辺部４６からさらに上方へ一体的に延長されて袋本体３と同じ材質（さらしクラフト紙から成る）および同じ厚みに形成された第一延長帯体５０と、第一延長帯体５０の外面に貼着された補強帯体５６（クラフト紙からなる）とから構成されている。
この補強帯体５６となっている紙（この場合はクラフト紙）は、第一延長帯体５０に比べて厚手のものが用いられている。
【００２１】
第一延長帯体５０は幅方向Ｚを長手方向とする矩形形状（長方形）に形成され、補強帯体５６は第一延長帯体５０の外側面に貼着されて、折目とする罫線５１ｃを介して第一延長帯体５０からさらに上方へ延長された重ね帯体５１を有している。
補強帯体５６は、第一延長帯体５０とほぼ同幅に形成されている。重ね帯体５１の第一延長帯体５０からの上方への突出量Ｌは、第一延長帯体５０の高さよりも小さく設定されている。
【００２２】
重ね帯体５１の上辺部５１ａに、第一把手穴５３（および後述の第二把手穴）に巻き込むように挿入して使用する巻込片５２が、重ね帯体５１の上辺部５１ａの一部を切断することで形成されている。
具体的には、重ね帯体５１の上辺部５１ａの幅方向Ｚ中心寄り部分を幅方向Ｚ中心に向けて斜め下方に向けて切断し、その切断線５２ｂの先端に、後述の第一把手穴５３、第二把手穴５５の形状に合致した湾曲形状の切込み５２ｃを延長することで巻込片５２を形成し、巻込片５２と重ね帯体５１との境界に罫線５２ａを形成している。
このようにして巻込片５２を形成し罫線５２ａを形成することで、巻込片５２を折り曲げ易く（巻込み易く）なっている。
なお、重ね帯体５１の幅方向両側の側辺部５１ｂは、上方ほど幅狭になるよう傾斜している。
【００２３】
第一延長帯体５０と補強帯体５６の接着部分のほぼ対角線中心位置に、第一把手穴５３が形成されている。
第一把手穴５３は幅方向に長い長孔に形成されている。第一把手穴５３を形成することにより、第一把手穴５３の下辺に形成された、折曲げの目安とする罫線５３ａ回りに折り曲げられる第一折曲片５３ｂが形成されている。
【００２４】
第二把手帯体５Ｂは、第二胴紙４Ｂの上辺部４７からさらに上方へ一体的に延長されて袋本体３と同じ材質（さらしクラフト紙から成る）および同じ厚みの紙で形成された第二延長帯体５４と、第二延長帯体５４の内面に貼着した補強帯体５７（さらしクラフト紙から成る）とから構成されている。
つまり第二把手帯体５Ｂは、第二延長帯体５４に、この第二延長帯体５４と同高さ、同幅の補強帯体５７を貼着して構成されている。そして、第二把手帯体５Ｂは、幅方向Ｚを長手方向とする矩形形状（長方形）に形成されている。
【００２５】
第二把手帯体５Ｂのほぼ対角線中心位置に、第二把手穴５５が形成されている。第二把手穴５５は幅方向に長い長孔に形成されている。第二把手穴５５を形成することにより、第二把手穴５５の下辺に形成された、折曲げの目安とする罫線５５ａ回りに折り曲げられる第二折曲片５５ｂが形成されている。
第一把手穴５３と第二把手穴５５は、開口部２を閉じるように第一把手帯体５Ａおよび第二把手帯体５Ｂを合わせた際に、同じ位置になって連通するよう設定されている。
【００２６】
図６は収容物Ｆを収容して紙袋１が立体化した状態の前後方向での断面図である。本発明の実施形態における紙袋１は、底紙３Ａをガセットとしているため、偏平な状態として搬送することができるから、多数枚を重ねた状態としても嵩張りにくい。
【００２７】
次に、紙袋１の袋本体３にファースト・フード等の食品を収容して使用する方法を説明する。
この紙袋１では、第一胴紙４Ａの上辺部４６は第二胴紙４Ｂの上辺部４７に対して上方に位置ずれしているから、例えば使用者（店員）は、開口部２に手指を挿入し易い。そして例えば、第一胴紙４Ａの上辺部４６と第二胴紙４Ｂの上辺部４７とに手指を掛けて、第一胴紙４Ａの上辺部４６と第二胴紙４Ｂの上辺部４７とを容易に開くことができる。
【００２８】
特に第一胴紙４Ａ側において、第一胴紙４Ａに、第一延長帯体５０とこれに貼着した補強帯体５６とから成る第一把手帯体５Ａを重ねておくこと（図４参照）により、第一胴紙４Ａ側では第一胴紙４Ａの上辺部４６領域に弾力性（撓み性）があり、その弾力性を利用することで開口部２を大きく開け易い。
【００２９】
続いて、開口部２から袋本体３内に手指を挿入して、底紙３Ａの、例えば中心部を押して底紙３Ａを展開する。そうすると、この実施形態に係る紙袋１はガセット袋であるから、図２や図３の斜視図に示すように、偏平だった袋本体３が立体的になって、袋本体３に大きな収容スペースを作ることができる。
【００３０】
収容物Ｆは、開口部２から袋本体３内に収容する。この場合も、第一胴紙４Ａ側では第一胴紙４Ａの上辺部４６領域に弾力性があり、その弾力性を利用することで開口部２を大きく開け易いから、収容物Ｆを収容する作業がし易い。
そして開口部２から袋本体３内に収容物Ｆを挿入し、広げられた底紙３Ａに載せるようにして収容する。そうすると、収容物Ｆの重量によって第一胴紙４Ａおよび第二胴紙４Ｂは、底紙３Ａから立ち上がるように保持され、安定性の良好な状態で袋状形態が維持され、紙袋１は自立することが可能となる。
【００３１】
開口部２を閉じるには次のようにして行う。すなわち、収容物Ｆを収容した後は、第一把手帯体５Ａ、第二把手帯体５Ｂの対向面（内面）どうしを合わせるようにして重ねて袋本体３に対して立て、罫線５１ｃを目安にして重ね帯体５１を第二把手帯体５Ｂの外面から重ねるようにする。
第一把手帯体５Ａ、第二把手帯体５Ｂの対向面どうしを合わせるようにすることで、袋本体３の開口部２の上方が第一把手帯体５Ａ、第二把手帯体５Ｂで覆われ、しかも第一延長帯体５０の上辺部５０ａと第二把手帯体５Ｂの上辺部５ｂの間の隙間が、その上方で重ね帯体５１によって覆われる（図６参照）。
【００３２】
第一把手帯体５Ａ、第二把手帯体５Ｂの対向面どうしを合わせるようにして重ねることで、第一把手穴５３および第二把手穴５５は厚み方向（前後）Ｙに連通しているから、巻込片５２を第二把手穴５５から第一把手穴５３に通して、第一把手帯体５Ａの外側で上方に折曲げる。このようにすることで、巻込片５２が第一把手帯体５Ａ側に係止する。
【００３３】
なお、重ね帯体５１を第二把手帯体５Ｂの外面から重ねると、巻込片５２によって第一把手穴５３および第二把手穴５５の連通が塞がれるが、巻込片５２を第二把手穴５５から第一把手穴５３に通して、第一把手帯体５Ａの外側で上方に折曲げることで、第一把手穴５３と第二把手穴５５との連通を許容する。
【００３４】
また、罫線５５ａ回りに第二折曲片５５ｂを第二胴紙４Ｂの外側に折り曲げ、罫線５３ａ回りに第一折曲片５３ｂを第二把手穴５５に通すように折曲げて第二折曲片５５ｂに重ねるようにする。
こうすると、第一折曲片５３ｂおよび第二折曲片５５ｂが第二胴紙４Ｂ側に係止して、第一把手帯体５Ａ、第二把手帯体５Ｂの離脱を抑制することができ、開口部２が大きく開放されてしまうのを防止することができる。
【００３５】
以上が、紙袋１に収容物Ｆを収容する際の、使用者（店員）が行う梱包作業である。
収容物Ｆを箱詰めする場合では、まず、その箱を組み立てる作業が必要であってこれには手間がかかり、顧客を待たせないためには予め箱を組立てておくことが望ましい。しかしそうすると組立てた箱を準備しておくのに大きなスペースが必要であって、限られた作業場所でそのようなスペースを確保することは難しかった。
【００３６】
これに対し本発明の実施形態の紙袋１では、多数の紙袋１を偏平なままの状態で準備するのは限られたスペースでよく、しかも収容物Ｆの収容作業に手間がかからないから、店頭に顧客が順番待ちで並ぶような状態の場合であっても、収容物Ｆ（商品）を迅速に捌くことが可能になる。
【００３７】
収容物Ｆを顧客が持ち帰るには、顧客は把手部５を把持する。この場合、顧客は手指を第一把手穴５３および第二把手穴５５に挿入するようにして把手部５を把持する。
そして顧客が把持する把手部５の構成は、第一把手帯体５Ａ、第二把手帯体５Ｂに重ね帯体５１が重ねられ、しかも巻込片５２を第二把手穴５５から第一把手穴５３に通して、第一把手帯体５Ａの外側で上方に折曲げてあるから、充分な強度を有している。
【００３８】
しかも、罫線５５ａ回りに第二折曲片５５ｂを第二胴紙４Ｂの外側に折り曲げ、罫線５３ａ回りに第一折曲片５３ｂを第二把手穴５５に通すように折曲げて第二折曲片５５ｂに重ねるようにしているから、第一把手帯体５Ａ、第二把手帯体５Ｂの離脱を抑制することができ、開口部２が大きく開放されてしまうのを防止した状態で、顧客は紙袋１を把持することができる。
【００３９】
ところで、この種の収容容器には、全体がカード紙等からなる紙箱状のものがあるが、例えば顧客が別の手提げ袋と紙箱状の収容容器を幅方向で重ねるようにして片手で把持すると、紙箱状の収容容器は柔軟性に乏しいから（保形性が高いから）大きく傾き、通行の邪魔になったり、把持がしにくかったりする状態があった。
【００４０】
しかしながら、本発明の実施形態に係る紙袋１（収容容器）は、紙を袋状の形態に組立てるものであって、その全体構成は保形性に乏しく、紙の座屈性（柔軟性）に倣い易い。
したがって、収容物Ｆの重さが底紙３Ａに働けば、底紙３Ａはその重さに応じた沈み込み（変形）をし、第一胴紙４Ａ、第二胴紙４Ｂ、および第一把手帯体５Ａ、第二把手帯体５Ｂもまた、座屈性により柔軟に変形する。このため、収容物Ｆの重さが紙袋１に働くことで、別の手提げ袋等に沿うようになって、大きく傾斜することがない。
しかもそれぞれの部材は接着されていることで全体の強度を確保しているから、安心して持ち歩くことができる。
【００４１】
本発明は上記実施形態に限定されない。上記実施形態では、底紙３Ａは六角形に形成したが、収容物Ｆの形状や量、重さに応じて多角形（四角形、あるいは六角形以上の多角形）に形成するのも好ましい。
なお、巻込片５２、第一折曲片５３ｂ、第二折曲片５５ｂを設けなくとも把手部５の強度を確保できるのであれば、これら部材は必ずしも必要ではない。
また、上記実施形態の紙袋１では、把手部５の下には紙製の袋本体３を設けたがこれに限定されない。例えば、袋本体は紙ではなく塩化ビニールによって形成することもできる。
【００４２】
なお、上記実施形態では、紙袋１はクラフト紙およびさらしクラフト紙によって形成したが、紙袋１を形成する紙種はこれに限定されるものではない。
【符号の説明】
【００４３】
１…紙袋、２…開口部、３…袋本体、３Ａ…底紙、４Ａ…第一胴紙、４Ｂ…第二胴紙、５…把手部、５Ａ…第一把手帯体、５Ｂ…第二把手帯体、５０…第一延長帯体、５１…重ね帯体、５２…巻込片、５３…第一把手穴、５３ｂ…第一折曲片、５４…第二延長帯体、５５…第二把手穴、５５ｂ…第二折曲片、５６…補強帯体、５７…補強帯体、Ｆ…収容物
【図１】
2011178445.tif 000003
【図２】
2011178445.tif 000004
【図３】
2011178445.tif 000005
【図４】
2011178445.tif 000006
【図５】
2011178445.tif 000007
【図６】
2011178445.tif 000008